(57)【要約】【課題】特定の催し物に参加する各個人の満足感の向上に役立ち得る参加許可証券と参加者情報システムとを提案する。【解決手段】光学的に読取可能な潜在情報コード２１が赤外光または紫外光を吸収する透明塗料により印字された参加許可証券１であって、該潜在情報コード２１は、特定の催し物に参加する個人を特定する個人特定情報と、該個人とのコミュニケーションに使用するためのプロフィール情報とが記録されたものである。かかる参加許可証券１の潜在情報コード２１を、特定の催し物の会場に配置した情報表示端末５４の光学読取装置５６で読み取って、該潜在情報コード２１に記録されたプロフィール情報を該情報表示端末５４で表示することにより、各個人に合わせたコミュニケーションを行うことができる。【選択図】図４
2020090001.tif 000002
【特許請求の範囲】
【請求項１】
特定の催し物への参加を許可された各個人に対して夫々発行される参加許可証券であって、
少なくとも赤外光または紫外光を反射するシート状基材の表面に、該シート状基材で反射される赤外光または紫外光を吸収する透明塗料により印字された、光学的に読取可能な潜在情報コードを備え、
前記潜在情報コードは、前記参加を許可された個人を特定するための個人特定情報と、該個人とのコミュニケーションに使用するための該個人のプロフィール情報とが記録されたものであることを特徴とする参加許可証券。
【請求項２】
特定の催し物が、握手を求められる者と握手する催しであり、
該催し物への参加を許可する握手券であることを特徴とする請求項１に記載の参加許可証券。
【請求項３】
請求項１又は請求項２に記載の参加許可証券により参加される特定の催し物で、該参加許可証券の潜在情報コードから読み取ったプロフィール情報をコミュニケーションに使用するための参加者情報利用システムであって、
通信ネットワークに接続可能な通信端末で入力される所定の個人特定情報とプロフィール情報とを、該通信ネットワークを介して取得して記憶する情報記憶手段と、
前記情報記憶手段に記憶された前記個人特定情報とプロフィール情報とを、光学的に読取可能な潜在情報コード用の情報データに変換するデータ変換手段と、
前記データ変換手段により変換された情報データに基づいて、少なくとも赤外光または紫外光を反射するシート状基材の表面に、該シート状基材で反射される赤外光または紫外光を吸収する透明塗料により前記潜在情報コードを印字して、前記参加許可証券を作成する証券作成手段と
を具備する参加者情報管理装置と、
前記催し物の会場に配置され、前記参加許可証券に印字された潜在情報コードからプロフィール情報を読み込んで、該プロフィール情報を表示する情報表示装置と
を備えてなるものであることを特徴とする参加者情報利用システム。
【発明の詳細な説明】
【技術分野】
【０００１】
本発明は、主に、予め参加を許可された各個人に発行されて、特定の催し物に参加する際に用いられる参加許可証券と、該参加許可証券を作成すると共に該参加許可証券を該催し物の会場で利用するための参加者情報利用システムとに関する。
【背景技術】
【０００２】
例えば、アイドル、タレント、歌手、俳優、スポーツ選手、および作家等とファンとの交流をはかるイベントは、参加可能な人数を制限する場合がある。特に、人気の高いアイドルやタレントなどの交流イベントの場合には、参加希望者の総数が参加可能な人数を大きく上回ることもあるため、希望者のなかから抽選して、該抽選に当選した者に参加許可証券を送付することが一般的である。
こうしたイベントへの参加を許可する者を決める方法として、例えば特許文献１には、インターネットを介してイベント参加券の応募を行い、応募のなかから抽選により当選者を決定し、該当選者に該インターネットを介して該当選を通知する構成が開示されている。
【０００３】
一方、握手会やサイン会などのようにアイドルやタレント等と至近距離で交流できる交流イベントは、人気が高く、参加を希望するファンが一人で複数応募するため、参加可能な人数を大きく上回る応募がある。さらに、こうしたイベントの参加許可証券が、限定個数を販売する商品（ＣＤやグッズなど）の付録となっている場合もある。この場合には、前記商品の購入をインターネットを介して応募し、抽選に当選すると、該商品を購入することにより前記参加許可証券を入手できるようになっている。そのため、商品購入の応募が、実質的にイベント参加の応募を意味している。
このように多数の応募があるイベントでは、参加できない人も多いことから、参加許可証券が偽造されたり、参加許可証券が高値で転売されたりする等の問題がある。そのため、偽造防止機能を備えた参加許可証券が用いられたり、該参加許可証券に個人情報（氏名など）を印字して持ち主を特定する等が行われる。具体的には、参加許可証券にホログラムやマイクロ文字などを印刷することにより偽造を防止する。さらに、参加許可証券に、個人を特定するための整理番号やバーコードを印字し、イベント会場で、応募（又は商品購入）の際に入手した個人情報と照合する等して、転売を防止したりしている。
【先行技術文献】
【特許文献】
【０００４】
【特許文献１】特開２００１−１３４７０５号公報
【発明の概要】
【発明が解決しようとする課題】
【０００５】
ところで、前記した握手会等の交流イベントは、アイドルやタレント等とファンとが直接的に交流できる機会であるものの、ファン一人当りの交流時間が限られている。特に人気の高いアイドル等の交流イベントでは、一人のアイドルが多数のファンと次々と交流せねばならないため、一人当たりの交流時間が数秒〜２０秒程度と極めて短い場合もある。そのため、通常、ファンが一方的に話をしたり、一般的または儀礼的な言葉を交わしたりすることしかできず、高倍率の抽選で当選した折角のイベントへの参加でありながら、ファンの満足する交流が十分にできているとは言い難かった。さらに、交流イベントでファンの期待を満足できないことが、ファン離れにつながる虞もあることから、ファン一人一人の満足感を高め得る交流が求められていた。
【０００６】
本発明は、前述した問題の解決を試みたものであり、特定の催し物に参加した者の満足感の向上に役立ち得る参加許可証券および参加者情報利用システムを提案するものである。
【課題を解決するための手段】
【０００７】
本発明の第一発明は、特定の催し物への参加を許可された各個人に対して夫々発行される参加許可証券であって、少なくとも赤外光または紫外光を反射するシート状基材の表面に、該シート状基材で反射される赤外光または紫外光を吸収する透明塗料により印字された、光学的に読取可能な潜在情報コードを備え、前記潜在情報コードは、前記参加を許可された個人を特定するための個人特定情報と、該個人とのコミュニケーションに使用するための該個人のプロフィール情報とが記録されたものであることを特徴とする参加許可証券である。
【０００８】
ここで、個人特定情報は、個人を特定するための情報であって、具体的には、氏名、年齢、住所、職業、顔写真などがある。また、プロフィール情報は、個人の側面像（横顔）を示す情報であって、具体的には、出身地、趣味や特技、外見的特徴、好きな食べ物、好きな音楽、好きな映画や番組、嫌いなもの、催し物への参加回数や前回参加情報（日時や内容）などがある。
【０００９】
かかる構成によれば、潜在情報コードを読み取ることにより、該潜在情報コードに記録された個人特定情報とプロフィール情報とを取得できることから、取得した個人特定情報で参加許可証券の個人を特定できると共に、取得したプロフィール情報を該個人とのコミュニケーションに使用できる。ここで、個人特定情報は、個人を特定するためのものであることから、前記した転売の抑制に役立つ。一方、プロフィール情報は、個人の側面像を示す情報であり、個人とのコミュニケーションに使用できることから、催し物の会場での該コミュニケーションの向上に役立つ。具体的には、プロフィール情報により、各個人の嗜好や参加経験などの情報を知得できることから、これらをコミュニケーションの話題に用いることができるため、各個人に合わせたコミュニケーションを行い易い。こうしたことから、例えば、前述した人気の高いアイドル等の交流イベントにおいて、潜在情報コードを読み取ることによって、該アイドル等が、参加した各個人のプロフィール情報を容易に知得できる。これにより、極めて短い交流時間であっても、参加した各個人に合わせてコミュニケーションを行うことができ、各個人の満足感を向上できる。
【００１０】
さらに、本構成は、潜在情報コードが透明塗料で印字されていることから、個人特定情報とプロフィール情報とを隠蔽する効果が極めて高い。これにより、本構成の参加許可証券を受け取った個人が、透明材料で印字された潜在情報コードの存在に気付き難く、参加した催し物では、該個人に知られること無く、プロフィール情報に基づくコミュニケーションを行うことが可能である。そのため、催し物に参加した個人の期待以上のコミュニケーションを行うこともでき、該個人の喜悦感と満足感とを向上でき得る。例えば、前述したアイドル等の交流イベントでは、参加した個人に合わせたコミュニケーションをアイドル側から発することができるため、該個人の喜悦感と満足感とを飛躍的に向上し得る。そして、幾度参加しても、その度に前記喜悦感や満足感が得られ易いことから、ファン離れを可及的に抑制できるだけでなく、新たなファンの獲得にも寄与できるという優れた利点も生ずる。
【００１１】
前述した本発明の第一発明の参加許可証券にあって、特定の催し物が、握手を求められる者と握手するための催しであり、該催し物への参加を許可する握手券である構成が提案される。この構成が、本発明の第二発明である。
ここで、握手を求められる者が、前記したアイドル、タレント、歌手、俳優、スポーツ選手、および作家等であり、特定の催し物が、これらアイドル等と握手する交流イベント（所謂、握手会）である。そして、本発明の参加許可証券が握手券である。
【００１２】
かかる構成によれば、前記握手会の、該握手会に参加した個人（ファン）とアイドル等とが実際に握手する場面で、前述したようにアイドル側からコミュニケーションを発することができるため、該個人の喜悦感や満足感を飛躍的に向上できる。こうした握手会では、人気の高いアイドル等の場合、ファン一人当たりの時間が極めて短いことから、この僅かな時間でアイドル側から各個人に合わせたコミュニケーションを発せられることは、ファン心理を効果的に高めることができ、一層強くファンの心を掴むことに寄与する。
【００１３】
また、本発明の第三発明は、前述した第一発明または第二発明の参加許可証券により参加される特定の催し物で、該参加許可証券の潜在情報コードから読み取ったプロフィール情報をコミュニケーションに使用するための参加者情報利用システムであって、通信ネットワークに接続可能な通信端末で入力される所定の個人特定情報とプロフィール情報とを、該通信ネットワークを介して取得して記憶する情報記憶手段と、前記情報記憶手段に記憶された前記個人特定情報とプロフィール情報とを、光学的に読取可能な潜在情報コード用の情報データに変換するデータ変換手段と、前記データ変換手段により変換された情報データに基づいて、少なくとも赤外光または紫外光を反射するシート状基材の表面に、該シート状基材で反射される赤外光または紫外光を吸収する透明塗料により前記潜在情報コードを印字して、前記参加許可証券を作成する証券作成手段とを具備する参加者情報管理装置と、前記催し物の会場に配置され、前記参加許可証券に印字された潜在情報コードからプロフィール情報を読み込んで、該プロフィール情報を表示する情報表示装置とを備えてなるものであることを特徴とする参加者情報利用システムである。
【００１４】
かかる構成にあっては、催し物の会場に配置された情報表示装置で、参加許可証券の潜在情報コードを読み取って、通信端末から入力されたプロフィール情報を表示することから、該プロフィール情報を用いて、参加した個人と円滑なコミュニケーションを行うことが可能である。ここで、コミュニケーションに用いるプロフィール情報は、通信端末から入力されるものであり、通常、催し物への参加を求める各個人が該通信端末を利用して入力する情報である。そのため、潜在情報コードから読み取るプロフィール情報を用いることで、各個人に適したコミュニケーションを行い易い。具体的には、人気の高いアイドルがファン一人一人と交流するイベント（前記した握手会など）の会場で、該アイドルが情報表示装置で各ファンのプロフィール情報を視ることにより、限られた交流時間内で各ファンに合わせたコミュニケーションを容易に行うことができる。而して、参加したファンの満足感を飛躍的に高めることができ得る。
【００１５】
また、本構成は、通信端末から個人特定情報とプロフィール情報とを入力し、これら情報を記録した潜在情報コードを印字して参加許可証券を作成するものであるから、該情報の入力から参加許可証券の作成までを自動又は半自動で実行可能である。これにより、参加許可証券の潜在情報コードに、催し物への参加を許可した個人の個人特定情報とプロフィール情報とを正確に記録できる。而して、誤情報の印字などの不具合の発生を可及的に抑制できる。
【００１６】
尚、本構成にあって、情報表示装置は、参加した個人に視認できない（又は、視認し難い）ように、プロフィール情報を表示することが好適である。かかる構成によれば、催し物に参加した個人に分からないように該個人のプロフィール情報を見ることができ、該プロフィール情報に基づいてコミュニケーションを行い得る。これにより、催し物に参加した個人の期待以上のコミュニケーションを行うことが可能であるから、該個人に親密感を感じさせ易く、十分な満足感を生じさせ得る。
【００１７】
また、情報表示装置は、潜在情報コードに記録された全てのプロフィール情報を表示する機能を有するものであっても良いし、該潜在情報コードに記録された全てのプロフィール情報から一又は複数の情報を選択的に表示する機能を有するものであっても良い。さらには、これら二種類の機能を備え、一方を選択するものであっても良い。
さらにまた、参加者情報管理装置は、通信端末から入力された全てのプロフィール情報を潜在情報コードに記録するものであっても良いし、通信端末から入力されたプロフィール情報から一又は複数の情報を選択的に記録するものであっても良い。いずれの場合も、例えば、データ変換手段が、プロフィール情報の全て又は一部を選択して、情報データに変換する機能を備えた構成とすることにより、実現可能である。
【００１８】
また、本構成の参加者情報利用システムは、特定の催し物の主催者側（スタッフやアイドル等）が通信端末を介して、参加した個人の情報を情報記憶手段に入力可能な構成とすることもできる。具体的には、特定の催し者に参加した個人の情報（仕草や外見的な特徴などの情報）を、通信端末で入力することにより、該情報を情報記憶手段のプロフィール情報に記憶する。こうして入力される情報は、前記主催者側からみた客観的な情報であることから、情報記憶手段のプロフィール情報は、参加する個人自身が入力する主観的な情報と前記客観的な情報とを含むものとなり得る。次回の催し物で、こうした各個人のプロフィール情報を使用することにより、各個人に一層適したコミュニケーションを行い易くなる。ここで、参加者情報使用システムは、主催者側が前記個人の情報を入力する専用の通信端末を備えたものであっても良いし、情報表示装置が該個人の情報を入力可能とするものであっても良い。後者の場合には、情報表示装置が、プロフィール情報を表示する機能の他に、前記個人の情報を入力する機能と、該入力した情報を送信する機能を通信ネットワークを介して情報記憶手段に送信する機能とを備えたものが好適に用いられ得る。
【発明の効果】
【００１９】
本発明の参加許可証券によれば、前述したように、催し物の会場で潜在情報コードを読み取ることにより、読み取ったプロフィール情報を、参加した個人とのコミュニケーションに用いることができる。そのため、各個人に合わせたコミュニケーションを行うことができ、催し物に参加した各個人の満足感を向上できる。さらに、参加許可証券を受け取った個人が、透明塗料で印字された潜在情報コードの存在に気付き難いことから、催し物の会場で、該個人に知られること無く、プロフィール情報を視てコミュニケーションを行うことができる。そのため、催し物に参加した各個人の満足感を一層効果的に向上でき得る。
【００２０】
本発明の参加者情報利用システムによれば、前述したように、催し物の会場に配置された情報表示装置で、参加許可証券の潜在情報コードを読み取ってプロフィール情報を表示することから、該プロフィール情報を用いて、参加した個人と円滑なコミュニケーションを行うことが可能である。また、個人特定情報とプロフィール情報との入力から参加許可証券の作成までの一連の工程を自動または半自動で実行できることから、各参加許可証券に個人特定情報とプロフィール情報と正確に記録でき、誤情報の印字などの不具合の発生を可及的に抑制できる。
【図面の簡単な説明】
【００２１】
【図１】握手券１の平面図である。
【図２】透明塗料で印字された潜在情報コード２１を視認可能に仮表示して示す、握手券１の説明図である。
【図３】握手券１の潜在情報コード２１に記録される個人特定情報とプロフィール情報とを示す図表である。
【図４】参加者情報利用システム５１を示す説明図である。
【図５】管理サーバ５２による情報入力処理を示すフローチャートである。
【図６】管理サーバ５２による当選者決定処理を示すフローチャートである。
【図７】管理サーバ５２による印字制御処理を示すフローチャートである。
【図８】情報表示端末５４でのプロフィール情報の表示態様を示す説明図である。
【発明を実施するための形態】
【００２２】
本発明にかかる実施形態を添付図面に従って、以下に説明する。
図１に示す握手券１が、本発明にかかる参加許可証券に相当する。ここで、本実施例の握手券１は、アイドルと握手できる握手会への参加を許可するものであり、インターネットを介して所定の応募サイトにアクセスし、応募した各個人に対して送付される。具体的には、限定個数を販売するアイドルのＣＤに握手券１が付いており、当該ＣＤの購入をインターネットを介して応募する。応募者多数の場合には抽選を行い、当選者に当該ＣＤを販売する。こうして握手券１を入手した者は、前記握手会の会場で該握手券１を提示することによって、該握手会に参加することができる。
【００２３】
本実施例の握手券１は、後述する各種図柄やコードなどが印字されるシート状基材２と、該シート状基材２の表面全域を覆うにように設けられた保護像（図示せず）とから構成されている。ここで、シート状基材２は、上質紙や中質紙等の普通紙、薄板状のプラスチック製シート、または合成紙などからなり、赤外領域の光（以下、赤外光という）と可視領域の光（以下、可視光という）とを反射する不透明な有色シート（例えば、白色系シート）を用いている。また、前記保護層は、赤外光と可視光とを透過する透明な樹脂フィルムからなるものが適用でき、後述の図柄やコードが印字されたシート状基材２の表面全域を覆うように被着されている。
【００２４】
握手券１のシート状基材２の表面には、図１に示すように、握手を求められるアイドルの氏名を示す文字図柄１１と、前記応募で当選した当選者の氏名を示す文字図柄１２と、握手会の会場および日時を示す文字図柄１３とが印字されている。さらに、握手券１を真贋判定するためのバーコード１４や整理番号１５等が印字されている。また、これらの他に、握手券１の付いたＣＤ名や握手会参加への注意事項などが印字されている。
【００２５】
バーコード１４には、握手会の情報や、当選者（握手券１の持ち主）を特定する情報などが記録されており、専用の読取装置で読み取ることによって、記憶された該情報を取得できるものである。ここで、握手会の情報としては、例えば、握手を求められるアイドルの氏名、握手会の会場や日時などがある。また、当選者の情報としては、当選者の氏名、性別、年齢、さらには整理番号などがある。これら情報を記録したバーコード１４が握手会の入場口等で読み取られ、読み取った情報を、前記応募の際に記録された情報と照合し、一致するか否かにより真贋を判定する。こうした真贋判定により、握手券１の偽造を防止することができる。
さらに、前記入場口で、免許証や学生証などを提示させて、前記バーコード１４から読み取った情報と照合して当選者の本人確認を行うことによって、握手券１の転売を防止することもできる。
【００２６】
また、本実施例の握手券１は、図示しないホログラムやマイクロ文字なども印字されている。これらホログラム等により、前記した偽造防止の効果を向上できる。尚、本実施例にあって、ホログラムやマイクロ文字は、潜在情報コード２１に重ならないように印刷されたものか、後述する有色塗料（前記透明塗料で吸収される赤外光を透過するもの）で印刷されたものとする。
【００２７】
こうした各図柄１１〜１３、バーコード１４、整理番号１５、およびホログラムやマイクロ文字等は、視認可能な有色塗料により前記シート状基材２の表面に印刷されている。さらに、シート状基材２の表面には、赤外光を吸収し且つ可視光を透過する透明塗料によって、潜在情報コード２１が印字されている。尚、前記有色塗料は、前記透明塗料により吸収される赤外光を透過するものである。
【００２８】
潜在情報コード２１は、図２に示すように、ＱＲコード（登録商標）により構成されており、専用の読取装置で読み取ることによって、該ＱＲコードに記録された情報を取得できるものである。尚、図２では、潜在情報コード２１の存在を示すために仮表示しているが、実際には、図１のように該潜在情報コード２１を視認不能である。
【００２９】
こうした潜在情報コード２１には、図３に示すように、握手券１の持ち主である当選者を特定するための個人特定情報と、該当事者のプロフィール情報とが記録されている。ここで、個人特定情報は、当選者の氏名、性別、年齢、住所、職業などの情報である一方、プロフィール情報は、当事者の側面像を示す情報であって、例えば、出身地、趣味や特技、外見的特徴、好きな食べ物、好きな音楽、好きな映画や番組、嫌いなもの、握手会への参加回数（当選回数）や前回参加情報（日時や内容）などの情報が適用できる。
【００３０】
次に、前述した握手券１を作成し、該握手券１を握手会で利用する参加者情報利用システム５１について説明する。
参加者情報利用システム５１は、図４に示すように、インターネットなどの通信ネットワークに接続される管理サーバ５２と、該管理サーバ５２に有線または無線で接続されたプリンタ５３と、赤外光を照射して前記潜在情報コード２１を読み取る光学読取装置５６が接続された情報表示端末５４と、前記バーコード１４を読み取る光学読取装置５７が接続された真贋判定用端末５５とを備える。ここで、本実施例の情報表示端末５４は、タブレットＰＣやノートＰＣ等であり、前記インターネットを介して管理サーバ５２に接続可能なものであっても良いし、該管理サーバ５２に接続不能なものであっても良い。また、真贋判定用端末５５は、ノートＰＣやデスクトップＰＣ等であり、前記インターネットを介して管理サーバ５２に接続可能なものである。
【００３１】
管理サーバ５２は、インターネットを介してデータを送受信する送受信装置と、データやプログラムなどを記憶する記憶装置と、該記憶装置に記憶したプログラムを起動して所定の処理を実行する中央制御装置とを備える。ここで、前記送受信装置は、プリンタ５３に所定のコマンドを出力する機能も備えている。
【００３２】
管理サーバ５２は、その記憶装置に、前記したＣＤ販売に応募するためのアプリケーションプログラムが記憶されており、ダウンロードのコマンドをインターネットを介して受信すると、該コマンドの送信先の通信端末６１に該アプリケーションプログラムを送信する。そして、こうしたアプリケーションプログラムにより通信端末６１から前記応募に必要な所定の応募情報を受信すると、応募を確定すると共に該応募情報を前記記憶装置に記憶する。さらに、所定の応募期間が終了すると、応募者のなかから抽選により当選者を決定する処理を実行する。そして、当選者を決定すると、記憶装置に記憶されている各当選者の前記応募情報に、整理番号を割り振って記憶する。この整理番号により、記憶装置に記憶された多数の応募情報のなかから、各当選者の応募情報を正確に選び出すことができる。さらに、当選者宛に当選結果を通知する。また、本実施例にあって、管理サーバ５２では、記憶装置に記憶した応募情報を、前記抽選の当否に関係なく、応募者の情報として保持する。
尚、通信端末６１から入力される前記応募情報としては、応募する者の氏名、住所、性別、年齢、および職業などの前記個人特定情報と、応募する者の出身地、趣味や特技、好きなもの（食べ物、音楽、映画、番組、ゲーム等）、及び嫌いなものなどの前記プロフィール情報とがある。さらに、管理サーバ５２では、応募者の情報と当選者の情報とを保持することから、応募回数や当選回数、握手会の参加情報（日時や場所）などの情報を、前記応募者のプロフィール情報に含めて記憶する。
【００３３】
また、管理サーバ５２は、当選者を決定すると、記憶装置に記載された当選者の個人特定情報とプロフィール情報とを読み込んでＱＲコード用の第一情報データに変換すると共に、該当選者の個人特定情報をバーコード用の第二情報データに変換する。そして、これら第一情報データと第二情報データ、および当選者の整理番号や個人特定情報のデータを、前記プリンタ５３に送信する。プリンタ５３は、こうした各データを受信すると、予め準備された前記シート状基材２の表面に、前記第一情報データに基づいて潜在情報コード（ＱＲコード）２１を前記透明塗料により印字すると共に、前記有色塗料により、前記第二情報データに基づいてバーコード１４と前記個人特定情報のデータに基づいて氏名等の文字図柄１２を印字する。さらに、前記した文字図柄１１，１３や整理番号１５等も前記有色塗料により印字する。
ここで、例えば、プリンタ５３は、前記有色塗料であるイエロー塗料（イエロー色のインク）のトナーと、シアン塗料（シアン色のインク）のトナーと、マゼンタ塗料（マゼンタ色のインク）のトナーとが取り付けられていると共に、前記した透明塗料（赤外光を吸収し且つ可視光を透過するインク）のトナーとが取り付けられている。そして、これら四色のトナーから所定順序で転写ベルトに転写して、該転写ベルトからシート状基材２に転写することにより、各文字図柄１１〜１３、バーコード１４、整理番号１５、潜在情報コード（ＱＲコード）２１等を印字する。本実施例のプリンタ５３では、透明塗料のトナー、イエロー塗料のトナー、シアン塗料のトナー、マゼンタ塗料のトナーの順に前記転写ベルトに転写し、該転写ベルトからシート状基材２に転写する。これにより、有色塗料により印字される前記文字図柄１１〜１３等の上に、潜在情報コード２１が印字される。尚、こうしたプリンタ５３は、一般的なものを適用できることから、その詳細を省略する。
【００３４】
さらに、プリンタ５３で印字されたシート状基材２には、その表面に、図示しない所定の印刷装置により、ホログラムやマイクロ文字等が印刷される。その後、シード状基材２の表面に、図示しない所定装置により前記保護層を形成する。このようにして本実施例の握手券１を得る。この握手券１は、前記有色塗料で印字された各文字図柄１１〜１３やバーコード１４や整理番号１５などを視認可能であると共に、前記透明塗料で印字された潜在情報コード（ＱＲコード）２１を視認不能である。
本実施例にあっては、こうして作成された握手券１がＣＤと共に当選者に送付される。
【００３５】
一方、前記通信端末６１は、前記インターネットに接続できるスマートフォン、タブレットＰＣ、ノートＰＣ、及びデスクトップＰＣ等であり、前記アプリケーションプログラムをダウンロードしてインストールすると、該アプリケーションプログラムにより前記応募を行うことができる。すなわち、通信端末６１で該アプリケーションプログラムを起動し、該通信端末６１の画面での表示内容に従って、前記応募情報を入力して送信することにより前記応募を行うことができる。
【００３６】
また、前記情報表示端末５４は、光学読取装置５６から入力した情報を処理する処理装置と、該情報を表示する表示装置とを備えたものであり、具体的にはタブレットＰＣやノートＰＣが適用可能である。この情報表示端末５４に接続された光学読取装置５６は、赤外光センサと、該赤外光センサによりＱＲコード（潜在情報コード２１）を読み取る読取手段と、該読取手段により読み取ったデータを情報表示端末５４へ送信する送信手段とを備えたものである。赤外光センサは、赤外光を照射する赤外発光部と、照射した赤外光の反射を検出する赤外受光部とを備え、前記読取手段は、赤外光センサの検出によって潜在情報コード２１に記録されたデータを読み取る。この光学読取装置５６で読み取った情報は、情報表示端末５４に送信され、該情報表示端末５４の表示装置で表示される。尚、光学読取装置５６は、一般的に知られた構成のものを適用できることから、詳細は省略する。
【００３７】
また、前記真贋判定用端末５５は、光学読取装置５７から入力した情報を処理する処理装置と、モニタなどの表示装置と、前記管理サーバ５２との間で情報やコマンドを送受信する送受信装置とを備えたものである。さらに、真贋判定用端末５５には、前記処理装置で起動する各種プログラム、光学読取装置５６から入力したデータ、管理サーバ５２から受信したデータなどを記憶する記憶装置を備えている。こうした真贋判定用端末５５には、例えばノートＰＣやデスクトップＰＣ等が適用可能である。
この真贋判定用端末５５に接続された光学読取装置５７は、可視光センサと、該可視光センサによりバーコード１４を読み取る読取手段と、該読取手段で読み取ったデータを前記真贋判定用端末５５へ送信する送信手段とを備える。尚、光学読取装置５７は、一般的に知られた構成のものを適用できることから、詳細は省略する。
【００３８】
次に、前記した管理サーバ５２で実行する情報入力処理、当選者決定処理、および印字制御処理について説明する。ここで、情報入力処理は、前記したアプリケーションプログラムをインストールした通信端末６１から受信する応募情報を記憶する処理であり、当選者決定処理は、記憶装置に記憶した応募情報から当選者を確定する処理であり、印字制御処理は、当選者の情報をプリンタ５３に送信して印字させるための処理である。
【００３９】
前記情報入力処理を、図５のフローチャートを用いて説明する。
情報入力処理は、Ｓ１０で、応募期間中であるか否かを判定し、応募期間中である場合には（肯定判定）、Ｓ１５に進み、応募期間でない場合には（否定判定）、情報入力処理を終了する。ここで、応募期間は、応募対象（本実施例における握手券１付きのＣＤなど）に応じて予め設定されており、開始時と終了時とを定めることによって管理される。例えば、応募期間を管理する処理（プログラム）を備え、開始時の日時と終了時の日時とを予め入力すると、当該処理により、該開始時になると応募期間を有効として、該終了時となると該応募期間を無効とする。
【００４０】
Ｓ１５では、通信端末６１からインターネットを介して応募情報を受信したか否かを判定し、入力した場合には（肯定判定）、Ｓ２０に進み、入力していない場合には（否定判定）、情報入力処理を終了する。
【００４１】
Ｓ２０では、応募情報を記憶装置に記憶する情報記憶処理を実行する。情報記憶処理では、受信した応募情報の個人特定情報とプロフィール情報とを、応募対象用の記憶領域に記憶する。ここで、個人特定情報とプロフィール情報とは、相互に紐付けされて記憶される。Ｓ２０の後に、情報入力処理を終了する。
【００４２】
こうした情報入力処理は、応募期間中に応募情報が受信する毎に実行され、応募対象に応募される複数の応募情報を、記憶装置に記憶する。尚、本実施例にあって、応募情報のプロフィール情報には、応募回数データや当選回数データなどが含まれており、これら応募回数データや当選回数データは管理サーバ５２により自動的に更新される。すなわち、情報入力処理では、各応募情報のプロフィール情報として記憶される応募回数データを更新する。
【００４３】
また、前記当選者決定処理を、図６のフローチャートを用いて説明する。
当選者決定処理は、Ｓ１００で、応募期間が終了したか否かを判定し、終了した場合には（肯定判定）、Ｓ１０５に進み、終了していない場合には（否定判定）、当選者決定処理を終了する。ここで、応募期間の終了は、前述した応募期間を管理する処理により決まる。
【００４４】
Ｓ１０５では、抽選処理を実行し、応募対象用の記憶領域に記憶された応募情報のなかから、予め定められた当選数の当選者を決定する。尚、応募対象用の記憶領域に記憶された応募情報の総数が予め定められた当選数よりも少ない場合には、全ての応募情報を当選とする。
【００４５】
続くＳ１１０では、当選者情報更新処理を実行する。この当選者情報更新処理では、前記Ｓ１０５で当選した応募情報に整理番号を割り振って記憶すると共に、各応募情報のプロフィール情報にある前記当選回数データを更新する。そして、全ての応募情報を、記憶装置に予め定められた所定のデータベースに移して記憶する。ここで、前記データベースには、前記Ｓ１０５で当選した応募情報とハズレの応募情報とが記憶保持され、前記整理番号により、当選した応募情報（当選者の情報）のみを選び出すことができるようになっている。
尚、前記データベースに記憶保持された応募情報は、前記アプリケーションプログラムを利用する利用者のＩＤとパスワードとにより管理される。そのため、利用者が、他の応募時に該ＩＤやパスワードを入力することによって、個人特定情報やプロフィール情報等の入力を省略できる。
【００４６】
また、前記印字制御処理を、図７のフローチャートを用いて説明する。
印字制御処理は、Ｓ２００で、印字コマンドが入力されたか否かを判定し、入力された場合には（肯定判定）、Ｓ２０５に進み、非入力の場合には（否定判定）、印字制御処理を終了する。ここで、本実施例の管理サーバ５２には、管理者が操作可能な操作手段（キーボードや操作パネルなど）を備えており、管理者が該操作手段を操作することにより印字コマンドが入力される。すなわち、管理者は、プリンタ５３に前記シート状基材２をセットして、前記操作手段により印字コマンドを入力する。
【００４７】
続くＳ２０５で、記憶装置の前記データベースのなかから、前記整理番号が割り振られた当選者の情報（個人特定情報とプロフィール情報）を読み込む。そして、Ｓ２１０で、読み込んだ当選者情報の個人特定情報とプロフィール情報とを、ＱＲコード用のデータに変換する処理を行う。さらに、Ｓ２１０では、個人特定情報を、バーコード用のデータに変換する処理も行う。Ｓ２１５では、前記Ｓ２１０で変換したＱＲコード用のデータ、バーコード用のデータ、および個人特定情報をプリンタ５３へ送信する。
こうしたＳ２０５〜Ｓ２１５の各処理は、前記整理番号が割り振られた全ての当選者情報に対して実行する。具体的には、整理番号順に当選者情報を一つずつ読み込んでデータ変換して送信する一連の処理（Ｓ２０５〜Ｓ２１５）を、繰り返し実行して、全ての当選者情報のデータをプリンタ５３に順次送信する。
【００４８】
尚、前記Ｓ２０５で読み込む当選者情報としては、データベースに記憶された各当選者情報の個人特定情報の全て（氏名、住所、性別、年齢、および職業など）とプロフィール情報の全て（出身地、趣味や特技、好きなもの、嫌いなもの、当選回数、応募回数）とであっても良いし、個人特定情報やプロフィール情報のなかから選択された一又は複数の情報のみであっても良い。例えば、後者の場合には、個人特定情報のなかから、氏名、住所、性別、および年齢を印字用情報として選択し、プロフィール情報のなかから、出身地、趣味、当選回数を印字情報として選択する。そして、これらを前記Ｓ２０５で読み込んでＳ２１０により変換し、前記Ｓ２１５によりプリンタ５３に送信する。ここで、プロフィール情報の一部を選択する場合には、予め決められた情報を選択するだけでなく、特殊性のある情報を選択するようにしても良い。具体的には、握手会のアイドルと同じ出身地（または、近隣の出身地）である場合に出身地を選択したり、該アイドルと趣味が同じである場合に該趣味を選択したりする等のように、アイドルと関係がありそうなプロフィール情報を選択することが可能である。または、握手会の会場に関係がありそうな情報を選択するようにしても良い。さらにまた、プロフィール情報の一部を選択する場合であっても、参加回数（当選回数）は常に選択する等のように、必ず選択される情報が規定されていても良い。
【００４９】
また、プリンタ５３では、前記したＱＲコード用のデータ、バーコード用のデータ、および個人特定情報を管理サーバ５２から受信すると、セットされたシート状基材２の表面に、前記透明塗料によりＱＲコード（潜在情報コード）２１を印字すると共に、前記有色塗料により文字図柄１１，１３やバーコード１４や整理番号１５を印字する。
このプリンタ５３による印字後に、シート状基材２の表面にはホログラムやマイクロ文字等が印字されて、該表面に保護層が形成される。こうして本実施例の握手券１を得る。尚、本実施例にあっては、前述したように各当選者のＱＲコード用のデータなどが、管理サーバ５２から順次送られて、プリンタ５３によりＱＲコード（潜在情報コード）２１等が印字されることにより、当選者毎の握手券１が生成される。そして、生成された握手券１は、前記ＣＤと一緒に各当選者宛に郵送される。
【００５０】
一方、握手会の会場では、入場口に、前記した真贋判定用端末５５が配置されると共に、アイドルと握手する握手場所に、情報表示端末５４が配置される。
前記入場口では、来場者（前記当選者）が所持する握手券１を確認して、該握手券１のバーコード１４を真贋判定用端末５５の光学読取装置５７で読み取る。真贋判定用端末５５は、バーコード１４から個人特定情報と整理番号とを読み取ると、該整理番号のデータを管理サーバ５２にインターネットを介して送信して、管理サーバ５２から整理番号の個人特定情報を入手する。そして、光学読取装置５７から読み取ったデータを、管理サーバ５２から入手した個人特定情報および整理番号と照合して、真贋判定を行う。さらに、来場者の免許証や学生証などを提示させて、本人確認するようにしても良い。
【００５１】
前記入場口の真贋判定で正規の当選者と判定されると、該当選者は、会場内に入場でき、前記握手場所に向かう。握手場所では、握手券１を提示させて、情報表示端末５４の光学読取装置５６により該握手券１に印字された潜在情報コード２１を読み込み。ここで、潜在情報コード２１は、前述したように透明塗料で印字されていることから、その存在が気付かれ難く、光学読取装置５６による読み取り作動を当選者に気付かれることなく実施可能である。
情報表示端末５４では、その画面に、潜在情報コード２１から読み取られた個人特定情報とプロフィール情報とが表示される。具体的には、図８に示すように、握手券１を所持する前記当選者の氏名と年齢等の個人特定情報と、出身地、趣味、好きなもの、参加回数（当選回数）、および前回参加情報などが表示される。ここで、本実施例にあっては、前述したように、アイドルと関係ありそうな情報（例えば、出身地や趣味など）と当選回数などのプロフィール情報が表示され、さらに話のネタに有効な情報を強調して表示する（〇で囲む表示等）。これにより、アイドルは、情報表示端末５４の画面を一目することで、当選者とのコミュケーションを取るためのネタを確認できる。例えば、当選者の出身地がアイドルと同じである場合に、出身地の情報を強調して表示すれば、同郷の話題をネタに話しをすることができし、参加回数が１回であれば、初めて握手することをネタに話を進めることが可能である。また、参加回数が多ければ、何回も合っていることを話題にすれば、親近感を与えることが可能である。
【００５２】
このように本実施例の握手券１によれば、透明塗料で印字された潜在情報コード２１を、握手会の会場で読み取ることによって、該潜在情報コード２１に記録された個人特定情報とプロフィール情報とを取得できることから、該握手券１を所持する当選者とのコミュニケーションに該プロフィール情報を使用できる。
ここで、人気の高いアイドルの場合には、比較的多くの人数が握手会に参加することから、一人一人と交流する時間が短く、さらに、多くの当選者の一人一人の情報をアイドルが事前に記憶することも難しい。こうした現状に対して、本実施例の握手券１によれば、アイドルは、握手する際に情報表示端末５４で各当選者のプロフィール情報を得ることができるため、当選者一人一人に合わせてコミュニケーションを取り易くなる。特に、本実施例では、入力されたプロフィール情報のなかから一部の情報を選択して潜在情報コード２１に記録していることから、該情報をコミュニケーションのネタとして適正かつ容易に知得できるため、限られた時間内でコミュニケーションが取り易い。したがって、当選者との親睦を深め易く、該当選者の満足感を飛躍的に向上させ得る。
【００５３】
さらに、握手券１の潜在情報コード２１が透明塗料で印字されていることから、該握手券１を所持する当選者が該潜在情報コード２１の存在に気付き難い。そして、握手会の会場で、情報表示端末５４の画面を当選者（来場者）から視認不能に配置することにより、該当選者に気付かれずに、潜在情報コード２１から読み取ったプロフィール情報を表示することが可能である。こうしたことから、各当選者に適した話題をアイドル側から発することによって、該当選者のファン心理を効果的に高めることができ、該当選者の喜悦感を飛躍的に向上できる。而して、握手会に参加したファンの心を効果的に掴むことができると共に、新たなファンの獲得にも寄与できる。
また、透明塗料で潜在情報コード２１が印字されていることにより、握手券１の偽造防止効果が向上できる。詳述すると、握手券１を偽造する者が、潜在情報コード２１の存在に気付き難いことから、該潜在情報コード２１まで偽造され難い。そのため、偽造した握手券は、潜在情報コード２１が印字されず、該潜在情報コード２１を読み取りできないことから、正確かつ容易に判別できる。
【００５４】
また、本実施例の参加者情報利用システム５１は、通信端末６１から入力された個人特定情報とプロフィール情報とを記録した潜在情報コード２１を印字して握手券１を作成することから、これら情報の入力から握手券１の作成までを半自動で実施できるものである。そのため、応募から抽選までの処理を公正に実施できる。さらに、当選者の個人特定情報やプロフィール情報に基づいて握手券１に正確な情報を印字でき、誤情報の印字などの不具合の発生を可及的に抑制できる。こうしたことから、前述した作用効果を発揮する本実施例の握手券１を安定かつ正確に作成でき、握手会の会場でファン（当選者）との交流を十分に深めることができる。
【００５５】
さらにまた、本実施例では、握手券１に、個人特定情報を記録したバーコード１４を印字し、握手会の会場の入場口で該バーコード１４から読み取った情報により真贋判定を行う。これにより、握手券１の偽造を防止することができると共に、当選者以外の者に握手券１が使用されること（又は、転売されること）を防止できる。
【００５６】
尚、こうした実施例にあって、握手券１が、本発明にかかる参加許可証券であり、握手会が、本発明にかかる特定の催し物である。また、当選者（ファン）が、本発明にかかる個人に相当する。また、管理サーバ５２、プリンタ５３、ホログラムやマイクロ文字などを印刷する印刷装置、および保護層を形成する装置により、本発明にかかる参加者情報管理装置が構成されている。また、管理サーバ５２で実行される情報入力処理が、本発明にかかる情報記憶手段に相当し、印字制御処理のデータ変換処理が、本発明にかかるデータ変換手段に相当する。さらに、管理サーバ５２で実行される印字制御処理のデータ出力処理と、プリンタ５３と、ホログラム等の印刷装置と、保護層の形成装置とにより、本発明にかかる証券作成手段が構成されている。また、情報表示端末５４と光学読取装置５６とにより、本発明にかかる情報表示装置が構成されている。また、インターネットが、本発明にかかる通信ネットワークに相当する。
【００５７】
本発明にあっては、前述した実施例に限定されるものではなく、該実施例以外の構成についても本発明の趣旨の範囲内で適宜変更して実施可能である。
例えば、実施例では、握手券について例示したが、これに限らず、イベントへの参加券や、サイン会への参加券などにも適用可能である。特に、サイン会への参加券は、握手会と同様に、アイドルやタレント等と直接会話する場合もあり得ることから、本実施例の構成と同様に使用でき、同様の作用効果を奏し得る。
【００５８】
また、実施例では、通信端末６１で入力されたプロフィール情報のなかから、アイドルに関係ありそうな情報を選択して潜在情報コード２１に記録するようにしたが、これに限らず、入力されたプロフィール情報の全てを潜在情報コードに記録するようにしても良い。また、全てのプロフィール情報を潜在情報コードに記録する構成にあっては、情報表示端末が、潜在情報コードから読み取った全てのプロフィール情報を表示するものであっても良いし、一又は複数の情報を選択して表示するものであっても良い。ここで、後者の場合には、例えば、アイドルに関係ありそうな情報のみを選択して表示することが好適である。
【００５９】
また、実施例の潜在情報コード２１は、赤外光を吸収し且つ可視光を透過する透明塗料により印字されたものであるが、この他の構成として、紫外光を吸収し且つ可視光を透過する透明塗料により印字されたものとしても良い。この場合には、情報表示端末に接続される光学読取装置が、紫外光センサを備え、潜在情報コードを読取可能な構成とする。この場合にも、前述した実施例と同様の作用効果を奏し得る。
【００６０】
また、実施例は、潜在情報コードをＱＲコードにより構成したものであるが、その他の構成として、バーコードにより潜在情報コードを構成することも可能である。さらに、実施例では、真贋判定用のバーコードが印字されているが、該バーコードに代えて、真贋判定用のＱＲコードを印字することも可能である。
【００６１】
また、実施例では、管理サーバ５２が、管理者の操作による印字コマンドの入力によって、データの変換とプリンタ５３へのデータ出力とを実行する構成としたが、これに限らず、所定のタイミングで自動的に印字コマンドが入力される構成とすることも可能である。具体的には、応募期間の終了を契機として、自動で印字コマンドが入力される構成とする。かかる構成によれば、応募から握手券の作成までを自動で実施できる。
【００６２】
また、実施例の参加者情報利用システム５１は、真贋判定用端末５５が、握手券１のバーコード１４から個人特定情報や整理番号を読み取ると、管理サーバ５２から当選者の情報を取得して照合する機能を備えたものであるが、その他の構成として、真贋判定用端末が予め管理サーバ５２から全ての当選者の情報を記憶し、握手券１のバーコード１４から読み取った情報と照合するようにしても良い。さらにまた、参加者情報利用システム５１が、真贋判定用端末を備えない構成であっても良い。
【００６３】
また、実施例の参加者情報利用システム５１にあって、情報表示端末がインターネットを介して管理サーバ５２と接続可能な構成とすることができ、潜在情報コードを読み取ると、管理サーバ５２から当選者にかかる所望の情報を入手可能とするようにしても良い。
【００６４】
また、実施例の参加者情報利用システム５１にあって、真贋判定用端末５５および／または情報表示端末５４が、握手会に参加した当選者の情報（仕草や外見的な特徴など）を入力する機能と、該入力した当選者の情報を管理サーバ５２へ送信する機能とを備えた構成とすることもできる。ここで、情報表示端末５４は、前記のようにインターネットを介して管理サーバ５２と接続可能な構成とする。こうした当選者の情報を握手会のスタッフやアイドル等が入力する構成にあっては、握手会に参加した当選者を直接的に視て（観察して）、該当選者の仕草や外見的な特徴（例えば、めがねをかけていること、身長が高いことなど）の情報を入力することができ、該情報を、管理サーバ５２の前記データベースに記憶された各個人のプロフィール情報に追加（又は修正）して記憶保持できる。これにより、次回以降の握手会で、こうした情報を使用することができるため、各個人に一層適したプロフィール情報を使用してコミュニケーションを行うことができる。
尚、真贋判定用端末５５で当選者の情報を入力する場合には、握手会のスタッフが該情報を入力することとなり、情報表示端末５４で当選者の情報を入力する場合には、握手される者（アイドル等）が該情報を入力することとなる。また、こうして入力される当選者の情報としては、該スタッフやアイドル等が覚えておきたい情報であれば、様々な情報を入力可能である。例えば、前記した仕草や外見的な特徴等の情報に限らず、服装や持ち物に関する情報や、話し方の癖や方言に関する情報なども適用できる。
【符号の説明】
【００６５】
１  握手券（参加許可証券）
２  シート状基材
２１  潜在情報コード
５１  参加者情報利用システム
５２  管理サーバ（参加者情報管理装置）
５３  プリンタ（参加者情報管理装置）
５４  情報表示端末（情報表示装置）
５６  光学読取装置（情報表示装置）
６１  通信端末
【図１】
2020090001.tif 000003
【図２】
2020090001.tif 000004
【図３】
2020090001.tif 000005
【図４】
2020090001.tif 000006
【図５】
2020090001.tif 000007
【図６】
2020090001.tif 000008
【図７】
2020090001.tif 000009
【図８】
2020090001.tif 000010